(57)【特許請求の範囲】
【請求項１】
マイクロホンユニットの一方の出力端と他方の出力端にそれぞれエミッタフォロワ接続された二つのトランジスタを備え、
上記マイクロホンユニットの各出力端は上記二つのトランジスタのベースに接続され、
上記二つのトランジスタのコレクタは共通の抵抗を介して接地され、
上記二つのトランジスタの各ベースにはベース抵抗が接続されるとともに、これらのベース抵抗間に、上記二つのトランジスタのベース電流を調整する可変抵抗が直列に接続され、
上記可変抵抗の可変端子は、上記二つのトランジスタのコレクタに共通に接続され、
上記二つのトランジスタのエミッタから信号が平衡出力されるマイクロホンの出力回路。
【請求項２】
二つのトランジスタは、ワンチップ上に形成されたデュアルトランジスタである請求項１記載のマイクロホンの出力回路。
【請求項３】
二つのトランジスタは、ともにＰＮＰ型トランジスタである請求項１または２記載のマイクロホンの出力回路。
【請求項４】
二つのトランジスタの各エミッタには、ファントム電源の供給抵抗を介してファントム電源が供給されるように接続されている請求項１乃至３のいずれかに記載のマイクロホンの出力回路。
【請求項５】
ファントム電源の供給抵抗は、二つのトランジスタの負荷抵抗を兼ねている請求項１乃至４のいずれかに記載のマイクロホンの出力回路。
【請求項６】
二つのトランジスタの負荷抵抗は同じ抵抗値である請求項５記載のマイクロホンの出力回路。
【発明の詳細な説明】
【技術分野】
【０００１】
本発明は、エミッタフォロワを用いたマイクロホンの出力回路に関するもので、特に、平衡出力の平衡度の調整に関するものである。
【背景技術】
【０００２】
マイクロホンの出力は、伝送路に雑音の原因となる電界や磁界が加わっても音声信号に雑音を発生させないように、通常、平衡信号で出力される。平衡出力は、ホット側とコールド側のインピーダンスが同一であることが求められ、インピーダンスが同一でないとすれば非平衡となって音声信号に雑音が発生する。
【０００３】
出力回路にトランスを用いたものにおいては、出力側の巻線をバイファイラ巻きにしている。すなわち平行２線をそのまま巻き、センタータップを設け、上記２線の端部とセンタータップから回路を動作させる電流を引き出すようにしている。かかる構成の出力回路によれば、上記センタータップを交流的に高いインピーダンスにすることによって、平衡出力の平衡度が損なわれることを回避できる利点がある。
【０００４】
一方、上記のようなトランスを用いないマイクロホンの出力回路がある。この出力回路では、出力インピーダンスを低くするために、ＰＮＰトランジスタをエミッタフォロワ接続した回路が用いられる。図２は、従来のエミッタフォロワによるマイクロホンの出力回路例を示す。図２において、上側の約半分はファントム電源を、下側の約半分はマイクロホンの出力回路を示している。丸付きの数字１，２，３はそれぞれファントム電源側とマイクロホンの出力回路側を接続するコネクタを示している。出力回路側は、並列的に接続された二つのＰＮＰ型トランジスタ１３，１４を備えている。
【０００５】
トランジスタ１３，１４のベースはそれぞれ図示されないマイクロホンユニットの一方の出力端子１１と他方の出力端子１２に接続され、上記各トランジスタ１３，１４のベース−コレクタ間にはベース抵抗１５，１６が接続されている。各トランジスタ１３，１４のコレクタは共通の抵抗１７を経て、さらに上記コネクタの１番ピンを経てファントム電源２０のマイナス極に接続されている。このようにして、上記各トランジスタ１３，１４は、コレクタが接地されてエミッタフォロワ接続されている。この回路例におけるマイクロホンユニットは、コンデンサマイクロホンユニットを想定していて、相対向することによりコンデンサを構成している振動板と対向電極から取り出された音声信号がインピーダンス変換回路でインピーダンス変換され、上記出力端子１１，１２から出力されるようになっている。
【０００６】
上記ファントム電源２０のプラス極は、ファントム電源の供給抵抗２１，２２を介し、さらに上記コネクタの２番ピン、３番ピンを介して各トランジスタ１３，１４のエミッタに接続されている。したがって、上記供給抵抗２１，２２は、エミッタフォロワ接続された各トランジスタ１３，１４の負荷抵抗２１，２２でもある。各トランジスタ１３，１４のエミッタは、電解コンデンサ２３，２４を介して平衡出力のホット側出力端子２５とコールド側出力端子２６に接続され、これらの出力端子２５，２６から、マイクロホンユニットで変換された音声信号が平衡出力されるようになっている。ちなみに、ファントム電源２０の電圧が４８Ｖの場合、上記供給抵抗２１，２２が６．８ＫΩで、その偏差は０．４％以内と規定されている。
【０００７】
上記エミッタフォロワ接続されたトランジスタ１３，１４の出力インピーダンスがばらつくと、平衡出力の平衡性が崩れ、この出力ライン上に電界や磁界が加わると音声信号に雑音が発生する。そこで、エミッタフォロワ接続される一対のトランジスタ１３，１４は、特性が揃ったデュアルトランジスタすなわちワンチップとして形成されたトランジスタが用いられる。しかし、もともと個々のトランジスタには個体差があって特性がばらつきやすいことから、平衡出力の平衡性がずれ、無調整のままで高い平衡度を得ることは困難である。特に、近年は携帯電話が普及したことによってマイクロホンの近傍で電磁波が送受信されることが多く、この電磁波が上記出力ラインに侵入して音声信号に雑音が発生するという不具合が多く発生するようになっている。そのため、平衡出力の平衡度をより高くして、雑音が発生しないようにすることが求められている。
【０００８】
以上述べたような技術的課題、すなわち平衡出力の平衡度をより高くし、雑音が発生しないようにするという課題を解決することを目的とした先行技術文献は見つからなかったが、本発明に関連のある先行技術文献として特許文献１を挙げることができる。特許文献１記載の発明は、コンデンサマイクロホンユニットが備えているインピーダンス変換器と出力トランスとの間に電流増幅用のエミッタフォロワのトランジスタを接続したコンデンサマイクロホンに関するものである。
【先行技術文献】
【特許文献】
【０００９】
【特許文献１】特開２００６−３５２６２２号公報
【発明の概要】
【発明が解決しようとする課題】
【００１０】
本発明は、前述の従来技術の問題点を解決すること、すなわち、出力回路にエミッタフォロワを採用したマイクロホンの出力回路において、平衡出力の平衡度を調整可能とすることにより、平衡度をより高くして、雑音が発生しないようにすることを目的とする。
【課題を解決するための手段】
【００１１】
本発明に係るマイクロホンの出力回路は、マイクロホンユニットの一方の出力端と他方の出力端にそれぞれエミッタフォロワ接続された二つのトランジスタを備え、上記マイクロホンユニットの各出力端は上記二つのトランジスタのベースに接続され、上記二つのトランジスタのコレクタは共通の抵抗を介して接地され、上記二つのトランジスタの各ベースにはベース抵抗が接続されるとともに、これらのベース抵抗間に、上記二つのトランジスタのベース電流を調整する可変抵抗が直列に接続され、上記可変抵抗の可変端子は、上記二つのトランジスタのコレクタに共通に接続され、上記二つのトランジスタのエミッタから信号が平衡出力されることを最も主要な特徴とする。
【発明の効果】
【００１２】
二つのトランジスタのベース相互間に接続されている可変抵抗を調整することによって二つのトランジスタのベース電流を調整し、エミッタ電流を調整することができ、これによって各トランジスタの出力インピーダンスを変化させることができる。したがって、マイクロホンの出力信号を平衡出力するための二つのトランジスタに特性のばらつきがあったとしても、あるいは、回路素子の値にばらつきがあったとしても、平衡出力の平衡度を正確に合わせることができ、平衡度を高度に調整することができる。
【図面の簡単な説明】
【００１３】
【図１】本発明に係るマイクロホンの出力回路の実施例を示す回路図である。
【図２】従来のマイクロホンの出力回路の例を示す回路図である。
【発明を実施するための形態】
【００１４】
以下、本発明に係るマイクロホンの出力回路の実施例について図１を参照しながら説明する。なお、この実施例も、図２に示す従来例と同様に、ＰＮＰトランジスタをエミッタフォロワ接続した回路が用いられている。また、図２に示す従来例の構成と同じ構成部分には共通の符号を付した。
【実施例】
【００１５】
図１において、上側の約半分はファントム電源側を、下側の約半分はマイクロホンの出力回路側を示している。丸付きの数字１，２，３はそれぞれファントム電源側とマイクロホンの出力回路側を接続するコネクタを示している。出力回路側は、並列的に接続された二つのＰＮＰ型トランジスタ１３，１４を備えている。トランジスタ１３，１４は、以下に説明するように、それぞれエミッタフォロワ接続されている。
【００１６】
二つのトランジスタ１３，１４のベースはそれぞれ図示されないマイクロホンユニットの一方の出力端子１１と他方の出力端子１２に接続されている。上記二つのトランジスタ１３，１４のベースにはそれぞれベース抵抗１５，１６の一端が接続され、ベース抵抗１５，１６の各他方の端部にはそれぞれ可変抵抗１８の両端の固定端子が接続され、可変抵抗１８の可変端子は二つのトランジスタ１３，１４のコレクタに共通に接続されている。換言すれば、二つのトランジスタ１３，１４の各ベースにはベース抵抗が接続されるとともにこれらのベース抵抗間に可変抵抗が直列に接続されている。二つのトランジスタ１３，１４のベース間の抵抗値は、直列に接続されたベース抵抗１５、可変抵抗１８、ベース抵抗１６によって固定された値になっている。
【００１７】
各トランジスタ１３，１４のコレクタはともに上記可変抵抗１８の可変端子に接続されるとともに、共通の抵抗１７を経て、さらに上記コネクタの１番ピンを経てファントム電源２０のマイナス極に接続されている。このようにして、上記各トランジスタ１３，１４は、コレクタが接地されてエミッタフォロワ接続されている。この回路例におけるマイクロホンユニットの形式は、コンデンサ型のマイクロホンユニットを想定していて、相対向することによりコンデンサを構成している振動板と対向電極から取り出された音声信号がインピーダンス変換回路でインピーダンス変換され、上記出力端子１１，１２から出力されるようになっている。
【００１８】
上記ファントム電源２０のプラス極は、ファントム電源の供給抵抗２１，２２を介し、さらに上記コネクタの２番ピン、３番ピンを介して各トランジスタ１３，１４のエミッタに接続されている。したがって、上記供給抵抗２１，２２は、エミッタフォロワ接続された各トランジスタ１３，１４の負荷抵抗２１，２２を兼ねている。各トランジスタ１３，１４のエミッタは、電解コンデンサ２３，２４を介して平衡出力のホット側出力端子２５とコールド側出力端子２６に接続され、これらの出力端子２５，２６を通じて、二つのトランジスタ１３，１４のエミッタから、マイクロホンユニットで変換された音声信号が平衡出力されるようになっている。ちなみに、ファントム電源２０の電圧が４８Ｖの場合、上記供給抵抗２１，２２の値はともに６．８ＫΩの同じ抵抗値であり、その偏差は０．４％以内になるように設定されている。
【００１９】
図２に示す従来例について説明したように、上記エミッタフォロワ接続されたトランジスタ１３，１４の出力インピーダンスがばらつくと、平衡出力の平衡性が崩れ、この出力ライン上に電界や磁界が加わると音声信号に雑音が発生する。そこで、エミッタフォロワ接続される一対のトランジスタ１３，１４は、特性が揃いやすいデュアルトランジスタすなわちワンチップとして形成されたトランジスタを用いるとよい。しかし、もともと個々のトランジスタには特性の個体差があって特性がばらつきやすく、この特性のばらつきによって平衡出力の平衡性がずれ、無調整で高い平衡度を得ることは困難である。
【００２０】
そこで、図１に示す実施例では、可変抵抗１８を調整することにより、平衡出力の平衡度を高い精度で調整することができるようになっている。すなわち、可変抵抗１８を調整して、一方のトランジスタ１３のベース抵抗の値が増大すると他方のトランジスタ１４のベース抵抗の値が減少するように、ベース抵抗１５，１６と可変抵抗１８が接続されている。したがって、可変抵抗１８の調整により、一方のトランジスタ１３のベース電流Ｉｂ１が減少すると、他方のトランジスタ１４のベース電流Ｉｂ２が増大し、逆に、一方のトランジスタ１３のベース電流Ｉｂ１が増大すると、他方のトランジスタ１４のベース電流Ｉｂ２が減少する。
【００２１】
図１に示す実施例によれば、上述のように、可変抵抗１８を調整することにより、二つのトランジスタ１３，１４の出力インピーダンスが等しくなるように調整することが可能となり、出力端子２５，２６から平衡出力される信号の平衡度を高い精度で調整することが可能となった。
【００２２】
二つのトランジスタ１３，１４は、それぞれ単体のトランジスタであってもよく、図示の実施例で説明したような、ワンチップ上に形成されたデュアルトランジスタである必要はない。
可変抵抗１８は、一度調整するとその調整位置を保つようにした半固定抵抗にするとよいが、いつでも任意に調整可能な可変抵抗であってもよい。
【産業上の利用可能性】
【００２３】
図示の実施例は、ファントム電源を使用するコンデンサマイクロホンユニットを使用することを想定した構成になっているが、本発明に係るマイクロホンの出力回路は、ファントム電源を使用することを必須の要件とするものではなく、また、マイクロホンユニットはコンデンサマイクロホンユニット以外の例えばダイナミック型のマイクロホンユニットであってもよい。
【符号の説明】
【００２４】
１１    マイクロホンユニットの出力端
１２    マイクロホンユニットの出力端
１３    トランジスタ
１４    トランジスタ
１５    ベース抵抗
１６    ベース抵抗
１８    可変抵抗
２０    ファントム電源
２１    負荷抵抗
２２    負荷抵抗
【図１】
0005414549.tif 000002
【図２】
0005414549.tif 000003